(57)【要約】【課題】電子写真装置の小型化と画質の向上とを達成した電子写真装置を提供すること。【解決手段】光学走査装置２を搭載する光学走査装置搭載フレーム１６の形状を台形とし、光学走査装置搭載フレーム中心線ＣＬに対して非対称形状とし、短辺側、及び長辺側を第１フレーム１３、及び第２フレーム１４に取り付ける。この光学走査装置搭載フレーム１６は、従来の長方形状の光学走査装置搭載フレームの一部分を削除することで形成でき、第１フレーム１３側に部品を取り付けるスペースが生まれ、駆動装置１５を第１フレーム１３の内側に設置して装置の小型化を図ることができる。光学走査装置搭載フレーム１６を、光学走査装置搭載フレーム中心線ＣＬに対して非対称形状としたので、対称形状のものと比較して振動の固有値を高域にシフトすることができ、振動し難くできる。よって、光ビームＬの振れが抑えられ、画質の向上を図ることが出来る。【選択図】        図１
2004284186.tif 000002
【特許請求の範囲】
【請求項１】
少なくとも、光ビームを出射する光源、光ビームを走査するポリゴンミラー、前記ポリゴンミラーを回転させるモーター、及び前記光ビームを被走査体に結像させる結像光学系を光学箱に収容設置した光学走査装置と、前記光学走査装置を搭載する光学走査装置搭載フレームと、前記光学走査装置搭載を取り付ける少なくとも１対のサイドフレームと、を有し、
前記光学走査装置搭載フレームを、少なくとも前記光学走査装置搭載フレームの中心線を中心とした両端部を前記サイドフレームに取り付け、
前記光学走査装置搭載フレームの形状を、前記光学走査装置搭載フレームにおけるフレーム中心線に対して非対称形状とした、ことを特徴とする電子写真装置。
【請求項２】
前記光学走査装置搭載フレームは、振動時の光学走査装置搭載面上の最大撓み位置が、前記フレーム中心線に対して異なる位置となるような形状に形成されている、ことを特徴とする請求項１に記載の電子写真装置。
【請求項３】
前記光学走査装置搭載フレームは、各サイドフレームとの連結部の長さが異なり、
前記光学箱は、前記光学走査装置搭載フレームに固定するための複数の固定点を有し、短い方の前記連結部側の固定点が長い方の前記連結部側の固定点より多く設置されている、ことを特徴とする請求項１または請求項２に記載の電子写真装置。
【請求項４】
前記光学箱は、少なくとも１個所の固定点が少なくとも４個所の他の固定点の内側に設けられ、その内側の固定点が前記光学走査装置搭載フレームの短辺側に配置されている、ことを特徴とする請求項１乃至請求項３の何れか１項に記載の電子写真装置。
【請求項５】
少なくとも前記被走査体を駆動するための駆動装置の１部または全体が、一対のサイドフレームの内側、かつ前記サイドフレームと前記光学走査装置搭載フレームとの連結部分のうちで連結長さの短い前記連結部分の近傍に設置されている、ことを特徴とする請求項１乃至請求項４の何れか１項に記載の電子写真装置。
【請求項６】
前記光源が、該光学走査装置搭載フレームの短辺側に設置されている、ことを特徴とする請求項１乃至請求項５の何れか１項に記載の電子写真装置。
【請求項７】
前記光学走査装置搭載フレームの短辺が、前記光学走査装置の潜像書き込み開始側に配置されている、ことを特徴とする請求項１乃至請求項６の何れか１項に記載の電子写真装置。
【請求項８】
前記光学箱に設けられ、被走査体へ光ビームを導く反射ミラーと、
前記光学箱に設けられ、前記光学走査装置搭載フレームの短辺側に配置されて前記反射ミラーの一端側に１点で当接する第１支持部、及び前記光学走査装置搭載フレームの長辺側に配置されて前記反射ミラーの他端側に２点で当接する第２支持部と、
前記反射ミラーを前記第１の支持部、及び前記第２の支持部に押圧する押圧手段と、
を有することを特徴とする請求項１乃至請求項７の何れか１項に記載の電子写真装置。
【発明の詳細な説明】
【０００１】
【発明の属する技術分野】
本発明は、光ビームを画像情報に応じて被走査体上に走査露光することにより画像を記録するレーザープリンターや、デジタル複写機等の電子写真装置に関するものである。
【０００２】
【従来の技術】
図３２、及び図３３を参照して従来の電子写真装置１００の光学走査装置１０１の構成を説明する。
【０００３】
光学走査装置１０１は、情報を含む光ビームＬを出射する光源１０６と、この光源１０６から出射された光ビームＬを所定の方向へ偏向させるポリゴンミラー１２４Ａと、感光ドラム等の被走査体１０８へ光ビームＬを結像させる結像レンズ系１２２と、各部品を収容設置する光学箱１０９等で構成されている。なお、光学箱１０９には、光ビームＬを通過させる窓部１０４が形成されている。
【０００４】
光学箱１０９は、カバー１１０で閉塞され、スクリュー１０７で電子写真装置１００の光学走査装置搭載フレーム１０２に固定されている。
【０００５】
更に、光学走査装置搭載フレーム１０２は、舌部１０５が、図示せぬ電子写真装置のサイドフレームに差し込まれ、光学走査装置搭載フレーム１０２はサイドフレームに精度よく位置決め固定されている。
【０００６】
この電子写真装置１００は、情報を含む光ビームＬを被走査体１０８に主走査させることにより、情報の静電潜像を形成している。
【０００７】
電子写真装置１００は、被走査体１０８に均一に帯電を行う図示せぬ帯電手段、前述の光ビームＬが主走査されることにより露光され、静電潜像が形成された後にトナー像を形成する現像手段と、上記トナー像と同期して、記録紙を搬送する紙送り手段と、定着手段と、各手段を収納設置するフレーム等で構成され、前記フレームの多くは２個のサイドフレームを対向させ、光学走査装置搭載フレーム１０２を両端支持で橋渡しのように固定し、前記被走査体１０８等を駆動する駆動装置をサイドフレームに固定設置している。
【０００８】
従来の電子写真装置１００では、内部の紙送り手段や被走査体１０８を駆動する図示せぬ駆動装置の振動が光学走査装置搭載フレーム１０２に伝わり、光学走査装置１０１を揺らすことで正規のレーザー光路からずれて走査線ずれを起こし、画質不良となる問題があったため、図３２（Ａ）のＹ矢視を示した図３２（Ｂ）に示すように、長方形状の光学走査装置搭載フレーム１０２の、被走査体１０８に向かう側の曲げ部１０３から、光学走査装置１０１の支持部をＳ１≒Ｓ２となっている関係で所定値離して設置したので、図３２（Ｂ）のように光学走査装置搭載フレーム１０２が振動しても、光ビームＬの被走査体１０８に対する変化量δはごく僅かであるいうもので、例えば特許文献１で紹介されている。
【０００９】
別の例の、図３４に示す電子写真装置１２０では、光学走査装置１２１は、反射ミラー１２７を有するタイプであって、電子写真装置フレーム１３３に支持される搭載フレームが光学走査装置搭載フレーム１２９と、反射ミラー搭載フレーム１３０とに分割されている。
【００１０】
なお、図３４において、符号１２２は結像レンズ系、符号１２３は光源、符号１２４Ａはポリゴンミラー、符号１２４はポリゴンミラーを回転させるモーター、符号１２５は光学箱、符号１２６は窓部、符号１２７は反射ミラー、符号１２８は取付部、符号１２９は光学走査装置搭載フレーム、符号１３０は反射ミラー搭載フレーム、符号１３１は舌部、符号１３２は舌部１３１の装入される取付穴、符号１３３は電子写真装置フレームを示している。
【００１１】
このような構成とすることで、モーター１２４の振動が反射ミラー１２７に伝わり難くなるので、画質の向上が達成できるというものであり、例えば特許文献２で紹介されている。
【００１２】
更に別の例の、図３５に示す電子写真装置１４０では、光学走査装置１４１は光学箱１４５の４隅に支持部１４８を備え、光学走査装置搭載フレーム１４９との締結はスクリュー１５３を前記４個の支持部の略中央位置の１個のみで行う。
【００１３】
なお、図３５において、符号１４２は結像レンズ系、符号１４３は光源、符
１４４はポリゴンミラーを回転させるモーター、符号１４６は窓部、符号１４７はシリンダーレンズ、符号１５０はボス、符号１５１は同期光反射ミラー、符号１５２は同期光検出手段、符号１５４は被走査体を示している。
【００１４】
即ち、光学箱１４５の底板が反っていても光学走査装置搭載フレーム１４９に強制的に押し付けられ、また、振動し易い光学箱１４５の底板を固定することで振動を抑制し、画質の向上が図れるというものであり、例えば特許文献３で紹介されている。
【００１５】
また、更に別の例の、図３６（Ａ），（Ｂ）に示す電子写真装置の光学走査装置１６０では、反射ミラー１６１を弾性体１６５Ａで押圧し、支持体１６３Ａ，Ｂの支持部１６４Ａ，Ｂ，Ｃに反射面１６２を押し付けている。
【００１６】
更に、反射面１６２Ａを支持部１６４Ａの１点で支持する支持体１６３Ａに、反射面１６２ＡからクリアランスＸを隔てた支持部１６４Ｄ，Ｅを支持部１６４Ａの両側に設け、支持部１６４Ｄ，Ｅと反射面１６２Ａに接着剤（図示せず）を塗布している。
【００１７】
これにより、図３６（Ｃ）に示すように反射ミラー１６１を支持体１６３Ｃ，Ｄの１６４Ａ，Ｂ，Ｃの３点で支持した場合の、図３６（Ｄ）で示す矢印Ｅ，Ｆ方向の回転振動を防止することができるというものであり、例えば特許文献４で紹介されている。
【００１８】
【特許文献１】
特開平５−１０３１６４号公報
【特許文献２】
実開平３−３９７５３号公報
【特許文献３】
特開平１０−２１３７６８号公報
【特許文献４】
特開平１１−１８７２２４号公報
【００１９】
【発明が解決しようとする課題】
ところで、光学走査装置の光源の多くは、モーターに対して、平面上で斜めから入射しているケースが多い。
【００２０】
また、光源部分は、振動の影響を受け難いよう光源周辺の固定には工夫が必要である。
【００２１】
前述した図３２、及び図３３（特開平５−１０３１６４号公報）の電子写真装置１００では、図３３（Ａ）に示すように、光学箱１０９が光学走査装置搭載フレーム１０２に対し、曲げ部１０３からＳ１、Ｓ２離れた位置に４個所のスクリュー１０７で固定されているが、光学箱１０９の円で囲むＥａ近傍は、曲げ部１０３からＳ２離れた位置にスクリュー１０７で固定されるので良いが、各光学部品を収容設置している光学箱１０９の円で囲むＥｂ近傍（光源１０６の近傍）を強固に形成する必要がある故、光学箱１０９のＥｂ周辺の大きさを拡大する必要がある。
【００２２】
そのため、電子写真装置１００の小型化に弊害がある。
【００２３】
例えば、曲げ部１０３からＳ３離れた位置Ｅｂ近傍をスクリュー１０７で固定すれば良いが、位置Ｅｂは、図３３（Ｂ）に示す振動の腹近くになってしまうため、光源部分が振動によって振れてしまい、光路がＬ’にずれて画質に影響を及ぼしてしまう。
【００２４】
また、図３４（実開平３−３９７５３号公報）の電子写真装置では、図３４（Ｂ）のように、光学走査装置搭載フレームの固定に関し、フレームの走査方向中心に対して、片側２点、他側を１点で固定されているが、光源近傍Ｅｃ領域に着目すると、光源側の１点固定側フレームが図３４（Ｃ）のように振動するため、光ビームＬがＬ’のようにずれて画質に影響をおよぼしてしまう。
【００２５】
また、更に図３５（特開平１０−２１３７６８号公報）の電子写真装置では、光学走査措置１４１の腹となる中央近傍を固定するため、光学走査装置搭載フレーム１４９が振動しないよう強固にしなければならない故、電子写真装置の重量増、コスト高となる。
【００２６】
また、図３２、及び図３３（特開平５−１０３１６４号公報）のような光学走査装置搭載フレームには、前記光学走査装置搭載フレームの略中央部に振動時の最大撓み部があるため、図３５（特開平１０−２１３７６８号公報）の光学走査装置の技術を適用することができない。
【００２７】
また、更に図３６（特開平１１−１８７２２４号公報）の例では、反射ミラーの支持部（走査領域近傍の反射面）に接着を施すので走査領域に誤って接着剤を塗布せぬよう、塗布作業が困難であった。
【００２８】
本発明の目的は前記した従来装置の問題点を除去し、電子写真装置の小型化と画質の向上とを達成した電子写真装置を提供することにある。
【００２９】
【課題を解決するための手段】
本発明の電子写真装置は、少なくとも、光ビームを出射する光源、光ビームを走査するポリゴンミラー、前記ポリゴンミラーを回転させるモーター、及び前記光ビームを被走査体に結像させる結像光学系を光学箱に収容設置した光学走査装置と、前記光学走査装置を搭載する光学走査装置搭載フレームと、前記光学走査装置搭載を取り付ける少なくとも１対のサイドフレームと、を有し、前記光学走査装置搭載フレームを、少なくとも前記光学走査装置搭載フレームの中心線を中心とした両端部を前記サイドフレームに取り付け、前記光学走査装置搭載フレームの形状を、前記光学走査装置搭載フレームにおけるフレーム中心線に対して非対称形状とした、ことを特徴としている。
【００３０】
次に、本発明の電子写真装置の作用を説明する。
【００３１】
本発明の電子写真装置では、少なくとも、光ビームを出射する光源、光ビームを走査するポリゴンミラー、ポリゴンミラーを回転させるモーター、及び光ビームを被走査体に結像させる結像光学系を光学箱に収容設置した光学走査装置を搭載する光学走査装置搭載フレームの形状を、該光学走査装置搭載フレームの中心線に対して非対称形状とされている。
【００３２】
ここで、非対称形状の光学走査装置搭載フレームは、従来の長方形状の光学走査装置搭載フレームの一部分を削除することで形成でき、これにより、少なくとも１対のサイドフレーム間において、光学走査装置搭載フレームの片側に部品を配置するスペースを設けることが可能となる。
【００３３】
したがって、サイドフレームの外側に配置されていた他の装置の一部または全てを、１対のサイドフレーム間に空いたスペースに移設することが可能となり、電子写真装置の寸法を小さくすることができ、また、軽量化を図ることができる。
【００３４】
また、光学走査装置を搭載する光学走査装置搭載フレームは、フレーム中心線に対して対称形状のものと、非対称形状のものとを比較すると、非対称形状のものの方が振動の固有値を高域にシフトすることができ、光学走査装置搭載フレームを振動し難くできる。
【００３５】
よって、画質の向上を図ることが出来る。
【００３６】
【発明の実施の形態】
［第１の実施形態］
本発明の電子写真装置は、少なくとも、光ビームを出射する光源、光ビームを走査するポリゴンミラー、ポリゴンミラーを回転させるモーター、及び光ビームを被走査体に結像させる結像光学系を光学箱に収容設置した光学走査装置と、光学走査装置を搭載する光学走査装置搭載フレームと、光学走査装置搭載を取り付ける少なくとも１対のサイドフレームと、を有し、光学走査装置搭載フレームを、少なくとも光学走査装置搭載フレームの中心線を中心とした両端部を前記サイドフレームに取り付け、光学走査装置搭載フレームの形状を、光学走査装置搭載フレームにおけるフレーム中心線に対して非対称形状とした、ことを特徴としている。
【００３７】
本発明の電子写真装置において、光学走査装置搭載フレームは、振動時の光学走査装置搭載面上の最大撓み位置がフレーム中心線に対して異なる位置となるような形状に形成することが好ましい。
【００３８】
従来の長方形状の光学走査装置搭載フレームにおいては、フレーム中心線位置近傍に最大撓み位置があったが、光学走査装置搭載フレームの形状を、振動時の光学走査装置搭載面上の最大撓み位置がフレーム中心線に対して異なる位置となるような形状とすると、最大撓み位置がフレーム中心線位置から端部方向（フレーム中心線と直交方向の）に移動する。
【００３９】
よって、光学走査装置内部の、振動を受けて画質に影響をおよぼす割合の大きい部品を最大撓み位置から離して配置することにより、高画質な画像が得られる。
【００４０】
本発明の電子写真装置において、光学走査装置搭載フレームは、各サイドフレームとの連結部の長さが異なり、光学箱は、光学走査装置搭載フレームに固定するための複数の固定点を有し、フレーム中心線を基準に短い方の連結部側の固定点が長い方の連結部側の固定点より多く設置されていることが好ましい。
【００４１】
このようにサイドフレームとの連結部の長さを異ならせた場合、光学走査装置搭載フレームの最大撓み位置は長い方の連結部側へ移動する。したがって、光学走査装置搭載フレームは、短い連結部側の方が振動し難くなる。
【００４２】
さらに、光学箱においては、フレーム中心線を基準に、光学走査装置搭載フレームの短い方の連結部側の固定点が長い方の連結部側の固定点より多く設置すると、光学装置装置搭載フレームの短い方の連結部側は更に振動し難くなる。
【００４３】
したがって、光学走査装置内部の振動を受けて画質に影響をおよぼす割合の大きな部品を短辺側に集中配置することにより、さらに画質の向上を図ることができる。
【００４４】
本発明の電子写真装置において、光学箱は、少なくとも１個所の固定点が少なくとも４個所の他の固定点の内側に設けられ、その内側の固定点がフレーム中心線に対して光学走査装置搭載フレームの短辺側に配置されていることが好ましい。
【００４５】
電子写真装置において、少なくとも１個所の固定点が少なくとも４個所の他の固定点の内側に設け、その内側の固定点が光学走査装置搭載フレームの中心線に対して光学走査装置搭載フレームの短辺側に配置すると、光学箱の揺れ易い腹部分を、光学走査装置搭載フレームの振動し難い部分に積極的に固定することができ、光学箱の振動の固有値を高域にシフトすることができる。よって、光学箱を振動し難くでき、画質の向上を図れる。
【００４６】
本発明の電子写真装置において、少なくとも被走査体を駆動するための駆動装置の１部または全体を、一対のサイドフレームの内側、かつサイドフレームと光学走査装置搭載フレームとの連結部分のうちで連結長さの短い連結部分の近傍に設置することが好ましい。
【００４７】
従来、電子写真装置の外側部分に配置されていた駆動装置の１部または全体を、一対のサイドフレームの内側で、かつサイドフレームと光学走査装置搭載フレームとの連結部分のうちで連結長さの短い連結部分の近傍の空いたスペースに設置することにより、電子写真装置の寸法を小さくすることができる。
【００４８】
駆動装置とは、少なくとも被走査体を駆動するものであるが、その他、電子写真装置の他の機構、例えば、用紙送る機構等を駆動するものであっても良い。
【００４９】
本発明の電子写真装置において、光源を、フレーム中心線に対して、該光学走査装置搭載フレームの短辺側に設置することが好ましい。
【００５０】
光学走査装置の光源が、フレーム中心線に対して光学走査装置搭載フレームの短辺側、即ち、光学走査装置搭載フレームの揺れの少ない側に振動の影響を受け易い光源が配置されることになるので、画質の向上を図れる。
【００５１】
本発明の電子写真装置において、光学走査装置搭載フレームの短辺を、潜像書き込み開始側に配置することが好ましい。
【００５２】
光学走査装置には、同期光を検出する同期光検出装置や、ポリゴンミラーで反射された光ビームを同期検出装置に反射する同期光反射ミラーが潜像書き込み開始側に配置されている。光学走査装置搭載フレームの短辺を、潜像書き込み開始側に配置することで、揺れの少ない側に振動の影響を受け易い同期光検出装置や同期光反射ミラーが配置されることになり、潜像書き込み開始側での画質の向上を図れる。
【００５３】
以下、図面を参照して本発明の電子写真装置のより具体的な第１の実施形態を詳細に説明する。
【００５４】
図１、及び図２に示すように、電子写真装置１は、光ビームを走査する光学走査装置２を備えている。なお、図中の矢印Ｆ方向は装置前面側、矢印Ｂ方向は装置背面側、矢印Ｒ方向は装置右側、矢印Ｌ方向は装置左側、矢印Ｕ方向は装置上側を示している。
【００５５】
光学走査装置２は、情報を含む光ビーム３を出射する光源４、光源４から出射された光ビーム３を所定の方向へ偏向させるポリゴンミラー５Ａ、ポリゴンミラー５Ａを回転させるモーター５、ｆθレンズ６等（他のレンズ系は図示省略）からなる結像レンズ系を備えている。
【００５６】
光源４から出射された光ビーム３は、ポリゴンミラー５Ａ、及び結像レンズ系を経て、被走査体１２上に軸方向に沿って走査される。
【００５７】
ポリゴンミラー５Ａは、矢印ＣＷ方向（時計周り方向）に回転するようになっており、被走査体１２を矢印Ａ方向に走査する。
【００５８】
ここで、被走査体１２に照射される前、ｆθレンズ６を通過した後の光ビーム３は、同期光反射ミラー９を経て同期光検出装置１０で検出され、同期光検出装置１０で検出された後、一定の遅れをもって被走査体１２に走査、照射される。なお、同期光検出装置１０に至る光ビーム３は、被走査体１２への書き出しタイミングを決定するための光であり、本実施形態では、以後同期光１１と呼ぶことにする。
【００５９】
前述した光源４、モーター５、結像レンズ系、ポリゴンミラー５Ａ同期光反射ミラー９、及び同期光検出装置１０等の各光学部品は、上部の開放された光学箱８に収容されている。
【００６０】
光学箱８は、図示せぬカバーで閉塞され、スクリュー２３Ａで板金製の光学走査装置搭載フレーム１６に固定されている。
【００６１】
なお、光学箱８において、スクリュー２３Ａで固定する部分が、本発明の固定点となる。
【００６２】
電子写真装置１は、間隔をあけて互いに平行に立設する板金製の第１フレーム１３、及び第２フレーム１４を備えている。
【００６３】
第１フレーム１３の内側面には、上方に向けて突出する図示せぬ２個の凸状のボスを有する断面Ｌ字形状とされた板金製の第１ステー２１が、第２フレーム１４の内側面には上方に向けて突出する図示せぬ２個のボスを有する断面Ｌ字形状とされた板金製の第２ステー２２が取り付けられている。
【００６４】
なお、ボス、被走査体１２、第１ステー２１、及び第２ステー２２の位置関係は精度良く形成されている。
【００６５】
光学走査装置搭載フレーム１６には、前述の２個のボスに各々対応する精度良い図示せぬ位置決め用の丸孔と、固定用のスクリュー２３Ｂを挿入する取付孔３２が形成されている。
【００６６】
光学走査装置搭載フレーム１６は、ステー２１とステー２２との上に橋渡しのように載置され、取付孔３２を通したスクリュー２３Ｂでステー２１、及びステー２２に固定されている。
【００６７】
なお、ステーのボスが光学走査装置搭載フレーム１６の位置決め用の丸孔に挿入されることで、光学走査装置搭載フレーム１６と被走査体１２との位置関係が保たれている。
【００６８】
電子写真装置１は、被走査体１２に均一に帯電を行う図示せぬ帯電手段、光ビーム３が主走査されることにより露光され、静電潜像が形成された後にトナー像を形成する被走査体１２を含んだ現像手段、所謂ドラムカートリッジ２８、上記トナー像と同期して、記録紙Ｐを搬送する紙送り手段２６と、定着手段２７等を備え、これらの手段は第１フレーム１３、及び第２フレーム１４に支持される形で設置されている。
【００６９】
なお、電子写真装置１において、画像を形成するための基本原理は、従来の一般的な電子写真装置と同様である。
【００７０】
図２（Ａ）に示すように、本実施形態の光学走査装置搭載フレーム１６は、フレーム中心線に対して非対称形状（本実施形態では、各辺が直線形状とされた台形）であり、第１フレーム１３側が第２フレーム１４側よりも短く形成されている。このため、第１フレーム１３の内側と第２フレーム１４の内側とを比較すると、第１フレーム１３の内側の方が第２フレーム１４の内側よりもスペースが大きくとれることが分かる。
【００７１】
本実施形態では、光学走査装置搭載フレーム１６の被走査体１２側の第１フレーム１３内面に、上記現像手段、紙送り手段２６、定着手段２７等を駆動する駆動モーターや、ギア列等を含む駆動装置１５を、スクリュー２３Ｃで取り付けている。
【００７２】
駆動装置１５は、メンテナンス等の為に、スクリュー２３Ｃを外すことで、装置内方（図２（Ａ）の矢印ＩＮ方向）へ取り外すことができる。
【００７３】
ここで、図５を参照し、光学走査装置２と光学走査装置搭載フレーム１６の位置決めについて説明する。
【００７４】
光学走査装置搭載フレーム１６には、前述した図示せぬ位置決め用の丸孔から精度よく寸法を追った丸孔２９、及び長孔３０が形成されており、これらの丸孔２９、及び長孔３０に光学箱８の底面（図５では図示せず）に形成された図示せぬボスが挿入され、光学走査装置２と被走査体１２との位置関係が精度良く保たれている。
【００７５】
本実施形態では、光学走査装置搭載フレーム１６の材質はスチールで、第１フレーム１３側端部の第１折り曲げ部１７、及び第２フレーム１４側端部の第２折り曲げ部１８は夫々上側に折り曲げられており、被走査体１２側の第３折り曲げ部２０、及び被走査体１２側と反対側の第４折り曲げ部１９は夫々下側に折り曲げられている。
【００７６】
本実施形態では、ア（第１折り曲げ部１７の長さ）：１１０ｍｍ、イ（第２折り曲げ部１８の長さ）：１２５ｍｍ、ウ（第４折り曲げ部１９の長さ）：３７０ｍｍ、エ〜キ（折り曲げ幅）：１５ｍｍ、ク（端部から孔中心までの距離）：１０ｍｍである。
【００７７】
光学走査装置２は、フレーム中心線に対して光学走査装置搭載フレーム１６の短辺側を３点、長辺側を２点で固定している。
【００７８】
さらに詳しくは、光源４の近傍で２点（１点は第３折り曲げ部２０の近傍かつ同期光反射ミラー９の近傍）、同期光検出装置１０の近傍かつ第３折り曲げ部２０の近傍で１点、モーター５の近傍両側かつ第３折り曲げ部１９の近傍で２点で光学走査装置２の固定を行っている。
（作用）
本実施形態の電子写真装置１では、光学走査装置搭載フレーム１６の第１フレーム１３側の長さを第２フレーム１４側よりも短くし、光学走査装置搭載フレー第１フレーム１３側に部品を取り付けるスペースが生まれた。
【００７９】
図８に示すように、従来では、メンテナンスが必要な駆動装置１５ｚを電子写真装置の第１フレーム１３の外側に設置していたが、本実施形態では、上述したように電子写真装置１の内部にスペースが生まれたので、駆動装置１５を第１フレーム１３の内側に脱着可能に設置することできた（図８の２点鎖線で図示）。
【００８０】
このため、駆動装置１５の外側設置分の長さが従来対比略半分のＤｂに縮小し、電子写真装置の奥行きＤａをＤ１に縮めることができた。
【００８１】
なお、同じ印字スピードで電子写真装置の小型化を図ろうとしても、駆動装置の駆動モーターの大きさやギアを大幅にかえることができない。
【００８２】
したがって、駆動装置１５の容積は従来対比殆ど変化は無いが、本実施形態の駆動装置１５は奥行き寸法を短縮した代わりに、従来対比で厚みを増やした。これは、第１フレーム１３の内側にスペースが生まれたから出来たことである。
【００８３】
図３は、従来例としての光学走査装置搭載フレーム１６ｚを示しており、光学走査装置搭載フレーム中心線に対して対称形状とされた長方形に形成しており、その材質は本実施形態と同様のスチールで各寸法は、ア：１２５ｍｍ、イ：１２５ｍｍ、ウ：３７０ｍｍ、エ〜キ：１５ｍｍ、ク：１０ｍｍである。
【００８４】
従来例の光学走査装置搭載フレーム１６ｚ及び本実施形態の光学走査装置搭載フレーム１６を四隅の取付孔３２で第１フレーム１３及び第２フレーム１４に拘束した場合の振動解析結果を図４及び図６に示す。
【００８５】
なお、図６及び図４では、振動時の撓み（振幅）が最も大きい部位が黒の領域であり、最も撓みの小さい部位が右上がりの間隔の大きな斜線の領域である。
【００８６】
従来例の光学走査装置搭載フレーム１６ｚでは１次の振動数の固有値が１５５Ｈｚであったが、本実施形態の光学走査装置搭載フレーム１６では１次の振動数の固有値が１７５Ｈｚと高域にシフトしていた。
【００８７】
したがって、本実施形態の光学走査装置搭載フレーム１６は、従来対比で振動し難くなったことが分かる。
【００８８】
また、本実施形態の光学走査装置搭載フレーム１６では、従来例対比で寸法が小さくなっているため、装置の軽量化も実現できた。
【００８９】
また、試験の結果、本実施形態の光学走査装置搭載フレーム１６では、図６に示すように、光学走査装置搭載面上の最大撓み位置が、光学走査装置搭載フレーム１６の長手方向中心線ＬＣ（本実施形態では、光学走査装置搭載フレーム１６の光ビーム走査方向中心線に一致）に対してＹ＝１５．５ｍｍ移動していた。
【００９０】
本実施形態では、光学走査装置２を光学走査装置搭載フレーム１６に対し、光学走査装置搭載フレーム中心線に対して短辺側３点、長辺側を２点で固定し、詳しくは光源近傍を２点固定し、うち１点は同期光反射ミラー９の近傍、他の４点は第３折り曲げ部１９、及び第４折り曲げ部２０の近傍で固定した、即ち、光学走査装置搭載フレーム１６の撓みの小さい側に振動の影響を受け易い光源４を配置したので、画質の向上を図れ、同様に、撓みの小さい側に振動の影響を受け易い同期光を検出する同期光反射ミラー９を配置したので、潜像書き込み開始側画質の向上を図れた。
【００９１】
なお、本実施形態では、同期光検出装置１０の反対側に同期光反射ミラー９を設けたが、同期光反射ミラー９を廃止し、該廃止した同期光反射ミラー９の代わりに同期光検出装置１０を直接配置しても良い。
【００９２】
また、本実施形態では光学走査装置２を光学走査装置搭載フレーム１６に対して図２（Ａ）に示すような５点で固定しているが、例えば固定点を５点以上とし、そのうち１点を、他４点以上で形成されるエリア内、かつフレーム中心線位置から、光学走査装置搭載フレーム１６の短辺側に設置することにより、光学箱８の固有振動数を更に高域にシフトすることができる。
【００９３】
また、本実施形態では光学走査装置搭載フレーム１６を、ステー２１を介して第１フレーム１３に、ステー２２を介して第２フレーム１４に取り付けたが、ステー２１，２２を介さず、第１折り曲げ部１７を直接第１フレーム１３に、第２折り曲げ部１８を直接第２フレーム１４にネジ止め、または、溶接固定しても良い。
【００９４】
また、光学走査装置搭載フレーム１６の各折り曲げ部に関しても、全て同じ側に曲げても良い。
【００９５】
また、本実施形態では、光学走査装置搭載フレーム１６、第１フレーム１３、第２フレーム１４、ステー２１、及びステー２２の材質が夫々スチールであったが、スチール以外の材質、例えば、ガラス繊維入りプラスチックでも良い。
【００９６】
図７に示す振動解析結果は、図５で示すアを５０ｍｍ、イを１２５ｍｍとしたときのものである。
【００９７】
振動解析の結果、１次の固有値が２１７Ｈｚであり、更に高域にシフトしていた。
【００９８】
図７に示すように、本実施形態では、光学走査装置搭載面上の最大撓み位置が光学走査装置搭載フレーム１６のフレーム中心線ＣＬに対してＹ＝５０．６ｍｍ長辺側に移動していた。
【００９９】
上記２つの振動解析の結果から、光学走査装置搭載フレーム１６の中心線に対して一方の長辺を１とした場合の短辺の比率を少なくとも０．４から０．８８までの範囲としておけば、従来例対比で固有値を高域にシフトでき、振動し難くできる。
［第２の実施形態］
本発明の電子写真装置において、光学箱に設けられ、被走査体へ光ビームを導く反射ミラーと、光学箱に設けられ、光学走査装置搭載フレームの短辺側に配置されて反射ミラーの一端側に１点で当接する第１支持部、及び光学走査装置搭載フレームの長辺側に配置されて反射ミラーの他端側に２点で当接する第２支持部と、反射ミラーを第１の支持部、及び第２の支持部に押圧する押圧手段と、を有することが好ましい。
【０１００】
被走査体へ光ビームを導く反射ミラーを、光学箱に設けられた１点支持を担う第１支持部、２点支持を担う第２支持部によって両端支持すると、光学走査装置搭載フレームの振動し難い短辺側に、振動の影響を受け易い１点支持側、即ち第１支持部が設けられることになり、画質の向上を図れる。また、反射ミラーの１点支持側が振動し難いので、反射ミラーを第１支持部以外の部位で他部材に接着する必要は無く、製造コストを最小限に抑えることが出来る。
【０１０１】
以下に、より具体的な例を図９乃至図１１にしたがって説明する。なお、第１の実施形態と同じ構成には同一符号を付し、その説明は省略する。
【０１０２】
図９、及び図１０に示すように、第１の実施形態との違いは、光学走査装置搭載フレーム１６の形状が反対勝手であることと、被走査体１２へ光路を導く反射ミラー３３を有していることである。
【０１０３】
図１１（Ａ）に示すように、光学箱８の底面には光学走査装置搭載フレーム中心線ＣＬに対して両側に配置される一対の突起４２と、光学走査装置搭載フレーム中心線ＣＬに対して光学走査装置搭載フレーム１６の短辺側に配置される短辺側支持部３４、光学走査装置搭載フレーム中心線ＣＬに対して光学走査装置搭載フレーム１６の長辺側に配置される長辺側支持部３５、及び調整部材３６を備えている。
【０１０４】
これらの突起４２、短辺側支持部３４、及び長辺側支持部３５は、光学箱８に一体に形成されている。
【０１０５】
反射ミラー３３は、一対の突起４２に下端縁を当接させ、反射面３３Ａを短辺側支持部３４、長辺側支持部３５、及び調整部材３６に取付けられた調整スクリュー３７に当接させている。
【０１０６】
光学箱８の底面には反射ミラー３３を介して短辺側支持部３４、及び長辺側支持部３５の反対側に弾性体（板ばね）３８が取り付けられており、弾性体３８は、反射ミラー３３を短辺側支持部３４、長辺側支持部３５、及び調整スクリュー３７に押圧している。
【０１０７】
よって、反射ミラー３３の反射面３３Ａは、短辺側支持部３４、長辺側支持部３５、調整部材３６に取付けられた調整スクリュー３７の３点で支持されている。
【０１０８】
なお、図１１（Ｂ）に示す反射ミラー３３の反射面３３Ａにおいて、符号３４Ａは短辺側支持部３４の当接する点、符号３５Ａは長辺側支持部３５の当接する点、符号３７Ａは調整スクリュー３７の当接する点である。
【０１０９】
反射ミラー３３は、被走査体１２の所望位置に光ビーム３が導かれるよう、調整部材３６に取付けられた調整スクリュー３７を繰出し調整することで角度が決定される。
【０１１０】
本実施形態では、反射ミラー３３を１点で支持する短辺側支持部３４を光学走査装置搭載フレーム１６の振動時の撓みの小さい短辺側に設置したので、画質の向上を図ることができる。
【０１１１】
また、従来の装置のように、１点支持側に接着剤を塗布する必要がなくなるので、製造コストを抑制することができる。
【０１１２】
なお、光学走査装置搭載フレーム１６の形状は、光学走査装置搭載フレーム中心線に対して非対称形状であれば良く、図５に示す形状に限らない。
【０１１３】
以下に、光学走査装置搭載フレーム１６の他の例を示す。
【０１１４】
図１２の光学走査装置搭載フレーム１６ｂは、長方形の第１フレーム側の一部分を矩形に切り欠いた形状とし、アを５０ｍｍ、ケを２７０ｍｍ、その他は図５と同一寸法とした例である。本実施形態においても、第１フレーム１３の内側において、光学走査装置搭載フレーム１６ｂの切欠部分に駆動装置１５を配置でき、電子写真装置１の奥行き寸法を縮小することができる。
【０１１５】
図１３の光学走査装置搭載フレーム１６ｄは、図５のアを５０ｍｍ、新たに、第４折り曲げ部２０のラインを外側へ凸となる円弧曲線（第２折り曲げ部１８の左端部において該左端部から第１折り曲げ部１７へ下した垂線に接し、かつ、第２折り曲げ部１８の左端部と第１折り曲げ部１７の左端部とを結ぶ半径Ｒ１の円弧）とし、他は図５と同じとした例である。この光学走査装置搭載フレーム１６ｄでは、１次の固有値が１９３Ｈｚと従来の図３の例より高域にシフトできた。図１４に示すように、この光学走査装置搭載フレーム１６ｄの光学走査装置搭載面上の最大撓み位置は、該フレームの中心線ＣＬに対して１９．４ｍｍ（Ｙ）長辺側に移動している。
【０１１６】
図１５の光学走査装置搭載フレーム１６ｃは、図５のアを５０ｍｍ、新たに、第４折り曲げ部２０のラインを内側へ凸となる円弧曲線（第１折り曲げ部１７の左端部において該左端部から第２折り曲げ部１８へ下した垂線に接し、かつ、第１折り曲げ部１７の左端部と第２折り曲げ部１８の左端部とを結ぶ半径Ｒ２の円弧）とし、他は図５と同じとした例である。この光学走査装置搭載フレーム１６ｃでは、１次の固有値が２２８Ｈｚと従来の図３の例より高域にシフトできた。図１６に示すように、この光学走査装置搭載フレーム１６ｃの光学走査装置搭載面上の最大撓み位置は、該フレームの中心線ＣＬに対して５１．８ｍｍ（Ｙ）長辺側に移動している。
【０１１７】
図１７の光学走査装置搭載フレーム１６ｅは、第１折り曲げ部１７を第２折り曲げ部１８の右端から３７．５ｍｍ（チ）乃至５０ｍｍ（ア）、第３折り曲げ部１９、及び第４折り曲げ部２０を直線形状とし、他は図５と同じとした例である。この光学走査装置搭載フレーム１６ｅでは、１次の固有値が２１７Ｈｚと従来の図３の例より高域にシフトできた。図１８に示すように、この光学走査装置搭載フレーム１６ｅの光学走査装置搭載面上の最大撓み位置は、該フレームの中心線ＣＬに対して５０．３ｍｍ（Ｙ）長辺側に移動している。
【０１１８】
図１９の光学走査装置搭載フレーム１６ｆは、第１折り曲げ部１７を第２折り曲げ部１８の右端から３７．５ｍｍ（チ）乃至５０ｍｍ（ア）、第３折り曲げ部１９を外側へ凸となる円弧曲線（第２折り曲げ部１８の右端部において該右端部から第１折り曲げ部１７へ下した垂線に接し、かつ、第２折り曲げ部１８の右端部と第１折り曲げ部１７の右端部とを結ぶ半径Ｒ３の円弧）、第４折り曲げ部２０を外側へ凸となる円弧曲線（第２折り曲げ部１８の左端部において該左端部から第１折り曲げ部１７へ下した垂線に接し、かつ、第２折り曲げ部１８の左端部と第１折り曲げ部１７の左端部とを結ぶ半径Ｒ３の円弧）とし、他は図５と同じとした例である。この光学走査装置搭載フレーム１６ｆでは、１次の固有値が２０６Ｈｚと従来の図３の例より高域にシフトできた。図２０に示すように、この光学走査装置搭載フレーム１６ｆの光学走査装置搭載面上の最大撓み位置は、該フレームの中心線ＣＬに対して４２．３ｍｍ（Ｙ）長辺側に移動している。
【０１１９】
図２１の光学走査装置搭載フレーム１６ｇは、第１折り曲げ部１７を第２折り曲げ部１８の右端から３７．５ｍｍ（チ）乃至５０ｍｍ（ア）、第３折り曲げ部１９のラインを内側へ凸となる円弧曲線（第１折り曲げ部１７の右端部において該右端部から第２折り曲げ部１８へ下した垂線に接し、かつ、第１折り曲げ部１７の右端部と第２折り曲げ部１８の右端部とを結ぶ半径Ｒ４の円弧）とし、第４折り曲げ部２０のラインを内側へ凸となる円弧曲線（第１折り曲げ部１７の左端部において該左端部から第２折り曲げ部１８へ下した垂線に接し、かつ、第１折り曲げ部１７の左端部と第２折り曲げ部１８の左端部とを結ぶ半径Ｒ４の円弧）とし、他は図５と同じとした例である。この光学走査装置搭載フレーム１６ｇでは、１次の固有値が２２２Ｈｚと従来の図３の例より高域にシフトできた。図２２に示すように、この光学走査装置搭載フレーム１６ｇの光学走査装置搭載面上の最大撓み位置は、該フレームの中心線ＣＬに対して５１ｍｍ（Ｙ）長辺側に移動している。
【０１２０】
図２３の光学走査装置搭載フレーム１６ｈは、図５のアを５０ｍｍとしており、第１折り曲げ部１７の左端部から第２折り曲げ部１８に至る垂線と、光学走査装置搭載フレーム１６ｈの中心線ＣＬとの交点を変曲点ケとしたときに、第４折り曲げ部２０は変曲点ケで折れ曲がっている。なお、第１折り曲げ部１７の左端部と変曲点ケとの間、及び第２折り曲げ部１８の左端部と変曲点ケとの間は、各々直線形状であり、他は図５と同じとした例である。この光学走査装置搭載フレーム１６ｈでは、１次の固有値が２０９Ｈｚと従来の図３の例より高域にシフトできた。図２４に示すように、この光学走査装置搭載フレーム１６ｆの光学走査装置搭載面上の最大撓み位置は、該フレームの中心線ＣＬに略一致している。
【０１２１】
図２５の光学走査装置搭載フレーム１６ｉは、図２３で示した変曲点ケを、光学走査装置搭載フレーム１６ｉの中心線ＣＬから長辺側へ９２．５ｍｍ（コ）、長辺端部から内側へ３７．５ｍｍ（タ）の位置に設置し、第１折り曲げ部１７の左端部と変曲点ケとの間、及び第２折り曲げ部１８の左端部と変曲点ケとの間を各々直線形状とし、他は図５と同じとした例である。この光学走査装置搭載フレーム１６ｉでは、１次の固有値が２０９Ｈｚと従来の図３の例より高域にシフトできた。図２６に示すように、この光学走査装置搭載フレーム１６ｉの光学走査装置搭載面上の最大撓み位置は、光学走査装置搭載フレーム１６ｉの中心線ＣＬに対して７６．２ｍｍ（Ｙ）長辺側に移動している。なお、変曲点ケの位置は、第１折り曲げ部１７の左端から第２折り曲げ部１８に至る垂線と第１折り曲げ部１７の左端と第２折り曲げ部１８の左端とを結ぶ線分（図５に相当）よりも内側、かつ光学走査装置搭載フレーム１６ｉの中心線ＣＬより、長辺側に位置させるのが良い。その場合、変曲点ケを、光学走査装置２の取付ネジ部３１、長孔３０に近接させないことが好ましい。
【０１２２】
図２７の光学走査装置搭載フレーム１６ｊは、図２３で示した変曲点ケを、光学走査装置搭載フレーム１６ｊの中心線ＣＬ上、かつ第２折り曲げ部１８の左端から第１折り曲げ部１７へ至る垂線から３７．５ｍｍ（タ）の位置に設置した。第４折り曲げ部２０のラインは、内側へ凸となる円弧曲線（第１折り曲げ部１７の左端部において該左端部から第２折り曲げ部１８へ下した垂線に接し、かつ、変曲点ケとを結ぶ半径Ｒ５の円弧）と、外側へ凸となる円弧曲線（第２折り曲げ部１８の左端部において該左端部から第１折り曲げ部１７へ下した垂線に接し、かつ、変曲点ケとを結ぶ半径Ｒ６の円弧）とを滑らかに接続し、他は図５と同じとした例である。この光学走査装置搭載フレーム１６ｊでは、１次の固有値が２０１Ｈｚと従来の図３の例より高域にシフトできた。図２８に示すように、この光学走査装置搭載フレーム１６ｉの光学走査装置搭載面上の最大撓み位置は、光学走査装置搭載フレーム１６ｉの中心線ＣＬに略一致している。なお、最大撓み位置を長辺側に位置させるためには、変曲点ケを光学走査装置搭載フレーム１６ｉの中心線ＣＬより、長辺側に設置すれば良い。
【０１２３】
図２９の光学走査装置搭載フレーム１６ｋは、図２７の変形例であり、変曲点ケを光学走査装置搭載フレーム１６ｋの中心線ＣＬから第２折り曲げ部１８側へ９２．５ｍｍ（コ）、第２折り曲げ部１８の左端からから内側へ３７．５ｍｍ（タ）の位置に変更し、他は図２７と同じとした例である。この光学走査装置搭載フレーム１６ｋでは、１次の固有値が２０５Ｈｚと従来の図３の例より高域にシフトできた。図３０に示すように、この光学走査装置搭載フレーム１６ｋの光学走査装置搭載面上の最大撓み位置は、光学走査装置搭載フレーム１６ｋの中心線ＣＬに対して６２．２ｍｍ（Ｙ）長辺側に移動している。なお、変曲点ケの位置は、第１折り曲げ部１７の左端から第２折り曲げ部１８に至る垂線と第１折り曲げ部１７の左端と第２折り曲げ部１８の左端とを結ぶ線分（図５に相当）よりも内側、かつ光学走査装置搭載フレーム１６ｉの中心線ＣＬより、長辺側に位置させるのが良い。その場合、変曲点ケを、光学走査装置２の取付ネジ部３１、長孔３０に近接させないことが好ましい。
［第３の実施形態］
次に、本発明の第３の実施形態を図３１にしたがって説明する。なお、前述した実施形態と同じ構成には同一符号を付し、その説明は省略する。
【０１２４】
本実施形態では、光学走査装置２が、光学走査装置搭載フレーム１６ｎと光学走査装置搭載フレーム１６ｍによって支持されている。
【０１２５】
光学走査装置搭載フレーム１６ｎは、ステー４３、及びステー４４を介して第１フレーム１３、及び第２フレーム１４に取り付けられている。
【０１２６】
また、本実施形態の光学走査装置２は、被走査体１２へ光ビームを導く反射ミラー３３に加え、第２反射ミラー３９を有している。
【０１２７】
第２反射ミラー３９は、光学箱８に設けられた第３支持部４０の図示せぬ１点、及び第４支持部４１の図示せぬ２点の合計３点に、弾性体４５で押圧され固定されている。
【０１２８】
光ビーム３は、反射ミラー３３で、被走査体１２の所望位置に光ビーム３が導かれるよう、調整部材３６の調整部材に取付けられた調整スクリュー３７（図３１では図示せず）を繰出し調整することで角度が決定され、第２反射ミラー３９を経て、光学箱８の窓部７を通過後、光学走査装置搭載フレーム１６ｎと光学走査装置搭載フレーム１６ｍとの間を通過して被走査体１２に導かれる。
【０１２９】
第２反射ミラー３９を１点で支持している第３支持部４０を光学走査装置搭載フレーム１６ｍ、ｎの振動時の撓みの小さい短辺側に設置したので、前述した実施形態と同様に画質の向上を図ることができる。
【０１３０】
また、従来の装置のように、１点支持側に接着剤を塗布する必要がなくなるので、製造コストを抑制することができる。
【０１３１】
【発明の効果】
以上説明したように、本発明によれば、電子写真装置の小型化と画質の向上とを達成することができる、という優れた効果を有する。
【図面の簡単な説明】
【図１】第１の実施形態に係る電子写真装置の要部を示す斜視図である。
【図２】（Ａ）は第１の実施形態に係る電子写真装置の概略構成を示す上方から見た一部断面図であり、（Ｂ）は第１の実施形態に係る電子写真装置の概略構成を示す側面から見た一部断面図である。
【図３】従来の光学走査装置搭載フレームを適用した例の図である。
【図４】図３のフレームの解析結果である。
【図５】図１の光学走査装置搭載フレームの図である。
【図６】図５の光学走査装置搭載フレームの解析結果である。
【図７】図５の光学走査装置搭載フレームの別の寸法の解析結果である。
【図８】従来の光学走査装置搭載フレームを適用した場合の問題点を説明する図である。
【図９】本発明を適用した電子写真装置の第２実施例の説明図である。
【図１０】図９の平面図、断面図である。
【図１１】図９の反射ミラーの詳細図である。
【図１２】本発明の光学走査装置搭載フレームの変形例の図である。
【図１３】本発明の光学走査装置搭載フレームの変形例の図である。
【図１４】図１３の光学走査装置搭載フレームの解析結果である。
【図１５】本発明の光学走査装置搭載フレームの変形例の図である。
【図１６】図１５の光学走査装置搭載フレームの解析結果である。
【図１７】本発明の光学走査装置搭載フレームの変形例の図である。
【図１８】図１７の光学走査装置搭載フレームの解析結果である。
【図１９】本発明の光学走査装置搭載フレームの変形例の図である。
【図２０】図１９の光学走査装置搭載フレームの解析結果である。
【図２１】本発明の光学走査装置搭載フレームの変形例の図である。
【図２２】図２１の光学走査装置搭載フレームの解析結果である。
【図２３】本発明の光学走査装置搭載フレームの変形例の図である。
【図２４】図２３の光学走査装置搭載フレームの解析結果である。
【図２５】本発明の光学走査装置搭載フレームの変形例の図である。
【図２６】図２５の光学走査装置搭載フレームの解析結果である。
【図２７】本発明の光学走査装置搭載フレームの変形例の図である。
【図２８】図２７の光学走査装置搭載フレームの解析結果である。
【図２９】本発明の光学走査装置搭載フレームの変形例の図である。
【図３０】図２９の光学走査装置搭載フレームの解析結果である。
【図３１】（Ａ）は第３の実施形態に係る電子写真装置の概略構成を示す上方から見た一部断面図であり、（Ｂ）は第３の実施形態に係る電子写真装置の概略構成を示す側面から見た一部断面図である。
【図３２】（Ａ）は従来の電子写真装置の要部の斜視図であり、（Ｂ）は図３２（Ａ）のＹ方向矢視図である。
【図３３】（Ａ），（Ｂ）は、図３２に示す従来の電子写真装置の問題点を説明する図である。
【図３４】（Ａ）更に他の従来の電子写真装置の要部の分解斜視図であり、（Ｂ）更に他の従来の電子写真装置の要部の平面図であり、（Ｃ）は光学走査装置搭載フレームの振動時の側面図である。
【図３５】（Ａ）は更に他の従来の電子写真装置の要部の平面図であり、（Ｂ）は図３５（Ａ）の縦断面図である。。
【図３６】（Ａ）乃至（Ｄ）は、他の従来の電子写真装置内の光学走査装置内部の反射ミラー支持部の説明図である。なお、（Ｂ）は（Ａ）の矢印Ａ方向矢視図であり、（Ｄ）は（Ｃ）の矢印Ａ方向矢視図である。
【符号の説明】
１      電子写真装置
２      光学走査装置
３      光ビーム
４      光源
５      モーター
５Ａ    ポリゴンミラー
６      ｆθレンズ（結像レンズ系）
８      光学箱
１２      被走査体
１３      第１フレーム（サイドフレーム）
１４      第２フレーム（サイドフレーム）
ＣＬ      光学走査装置搭載フレーム中心線
１５      駆動装置
１６      光学走査装置搭載フレーム
３３      反射ミラー
３４      短辺側支持部（第１支持部）
３５      長辺側支持部（第２支持部）
３７      調整スクリュー（第２支持部）
３８      弾性体（押圧手段）
【図１】
2004284186.tif 000003
【図２】
2004284186.tif 000004
【図３】
2004284186.tif 000005
【図４】
2004284186.tif 000006
【図５】
2004284186.tif 000007
【図６】
2004284186.tif 000008
【図７】
2004284186.tif 000009
【図８】
2004284186.tif 000010
【図９】
2004284186.tif 000011
【図１０】
2004284186.tif 000012
【図１１】
2004284186.tif 000013
【図１２】
2004284186.tif 000014
【図１３】
2004284186.tif 000015
【図１４】
2004284186.tif 000016
【図１５】
2004284186.tif 000017
【図１６】
2004284186.tif 000018
【図１７】
2004284186.tif 000019
【図１８】
2004284186.tif 000020
【図１９】
2004284186.tif 000021
【図２０】
2004284186.tif 000022
【図２１】
2004284186.tif 000023
【図２２】
2004284186.tif 000024
【図２３】
2004284186.tif 000025
【図２４】
2004284186.tif 000026
【図２５】
2004284186.tif 000027
【図２６】
2004284186.tif 000028
【図２７】
2004284186.tif 000029
【図２８】
2004284186.tif 000030
【図２９】
2004284186.tif 000031
【図３０】
2004284186.tif 000032
【図３１】
2004284186.tif 000033
【図３２】
2004284186.tif 000034
【図３３】
2004284186.tif 000035
【図３４】
2004284186.tif 000036
【図３５】
2004284186.tif 000037
【図３６】
2004284186.tif 000038